(57)【要約】【課題】島装置の製作、設計変更及び設置作業を容易に行うことができる。【解決手段】装置本体１３に、遊技機１４と、サンド１５とを備えた遊技装置１２である。サンド１５に挿入された紙幣を搬送する紙幣搬送部１６を備えた。紙幣搬送部１６は、装置本体１３内で紙幣を左右に搬送する左右搬送手段２１と、左右搬送手段２１とサンド１５とを接続する上下搬送手段２２と、隣接する左右搬送手段２１を連結する連結手段２３とから構成した。各左右搬送手段２１は、連結手段２３で連結されて全体で紙幣搬送装置を構成する。この遊技装置１２を、複数台並列に接続して島装置１１を構成した。紙幣搬送装置の一端に紙幣収納金庫１８を設けた。【選択図】　　図１
2004016343.tif 000002
【特許請求の範囲】
【請求項１】
装置本体に、遊技機と、紙幣が挿入されることで遊技のためのメダル等を貸し出すサンドとを備えた遊技装置において、
前記サンドに挿入された紙幣を搬送する紙幣搬送部を備え、
当該紙幣搬送部が、前記装置本体内の左右方向に配設されて前記紙幣を左右に搬送する左右搬送手段を備えて構成され、
当該左右搬送手段が隣り合う遊技装置の左右搬送手段と互いに連結して全体で紙幣搬送装置を構成することを特徴とする遊技装置。
【請求項２】
請求項１に記載の遊技装置において、
前記紙幣搬送部の左右搬送手段の端部に、当該左右搬送手段と隣接する遊技装置の左右搬送手段とを連結する連結手段を備えたことを特徴とする遊技装置。
【請求項３】
請求項１又は２に記載の遊技装置において、
前記左右搬送手段又は連結手段が、隣り合う遊技装置の左右搬送手段を角度を持たせた状態で互いに連結して全体で紙幣搬送装置を構成することを特徴とする遊技装置。
【請求項４】
請求項１乃至３のいずれか１項に記載の遊技装置において、
前記装置本体に、前記メダル等を計数する計数機を備えたことを特徴とする遊技装置。
【請求項５】
請求項１乃至４のいずれか１項に記載の遊技装置において、
前記サンドが、前記紙幣以外に、硬貨又はプリペイドカードの一方又は両方を使用できることを特徴とする遊技装置。
【請求項６】
請求項１乃至５のいずれか１項に記載の遊技装置において、
前記遊技機及びサンドが、前記装置本体の前面及び背面の両側に設けられたことを特徴とする遊技装置。
【請求項７】
請求項６に記載の遊技装置において、
前記紙幣搬送部が１つだけ設けられ、装置本体の両側に設けられたサンドが１つの紙幣搬送部に接続されたことを特徴とする遊技装置。
【請求項８】
請求項１乃至７のいずれか１項に記載の遊技装置を、複数台並列に接続して構成されたことを特徴とする島装置。
【請求項９】
請求項８に記載の島装置において、
前記遊技装置を複数台並べて、隣接する前記紙幣搬送部の前記左右搬送手段を前記連結手段で連結して紙幣搬送装置を構成したことを特徴とする島装置。
【請求項１０】
請求項９に記載の島装置において、
前記紙幣搬送装置の一端に紙幣収納金庫を設けたことを特徴とする島装置。
【発明の詳細な説明】
【０００１】
【発明の属する技術分野】
本発明は、スロットマシン、パチスロ等のゲームを行う遊技機を組み込んだ遊技装置及びその遊技装置を複数個並べて構成された島装置に関する。
【０００２】
【従来の技術】
遊技施設には遊技機が多数配設されている。この場合、遊技機は、通常、島単位で配設される。即ち、数台の遊技機を一体的に並べて１つの島装置を構成し、この島装置を設置スペースの形や大きさ等に応じて適宜並べて、多数の遊技機が配設されている。
【０００３】
島装置１は通常、図５に示すように構成されている。島装置１は、その外殻となる枠体２と、この枠体２の内部に複数台（図５の例では両側に４台ずつ）配設される遊技機（図示せず）と、各遊技機の横に配設されるサンド３と、島装置１の端部に設けられる紙幣収納金庫４と、各サンド３からの紙幣を紙幣収納金庫４まで搬送する紙幣搬送装置５とから構成されている。
【０００４】
枠体２は、設置される台数（ここでは８台）の遊技機及びサンド３の全体の長さに応じた寸法に合わせて作成されている。
【０００５】
サンド３は、各遊技機に遊技用のコイン等を貸し出すための装置である。サンド３は、各遊技機の横に配設されるため、枠体２の両側に４台ずつ、合計８台設けられている。
【０００６】
紙幣収納金庫４は、各遊技機のサンド３から紙幣を集めて保管するための金庫である。紙幣収納金庫４は、島装置１の端部に設けられている。
【０００７】
紙幣搬送装置５は、各サンド３と紙幣収納金庫４とを連結して、各サンド３からの紙幣を集めて紙幣収納金庫４まで搬送するための装置である。紙幣搬送装置５は、接続部６を介して各サンド３と接続されている。接続部６は、サンド３から紙幣搬送装置５に紙幣を移動させるための装置である。紙幣搬送装置５は、枠体２の長さに合わせて設定されている。これにより、紙幣搬送装置５は、８台のサンド３の間を通り、枠体２の全長に亘って配設されている。
【０００８】
また、遊技者は、取得メダルを計数毎に計数機のあるところまで持ち運びすることが必要である。
【０００９】
【発明が解決しようとする課題】
ところで、前記従来の島装置１では、１つの島装置１を製作する場合、設定寸法に応じた枠体２及び紙幣搬送装置５を製作しなければならない。即ち、予め設定された大きさの枠体２及び紙幣搬送装置５を製作しなければならない。それぞれの現場で、その設置場所の大きさ等に応じて製作するのは容易でない。
【００１０】
また、一度製作した枠体２及び紙幣搬送装置５は、容易に変更することはできない。このため、設置場所の変更等の設計変更があった場合は、その変更に容易に対応することができない。
【００１１】
さらに、枠体２及び紙幣搬送装置５は大がかりなものとなるため、設置作業も容易でない。
【００１２】
また、取得メダルを計数する場合は、その度に、計数機のあるところまでメダルを持ち運ばなければならないため、煩雑である。
【００１３】
本発明は、このような点に鑑みてなされたもので、島装置の製作及び設計変更を容易に行うことができる遊技装置、並びに設置作業を容易に行うことができる島装置を提供することを目的とする。
【００１４】
【課題を解決するための手段】
第１の発明に遊技装置は、装置本体に、遊技機と、紙幣が挿入されることで遊技のためのメダル等を貸し出すサンドとを備えた遊技装置において、前記サンドに挿入された紙幣を搬送する紙幣搬送部を備え、当該紙幣搬送部が、前記装置本体内の左右方向に配設されて前記紙幣を左右に搬送する左右搬送手段を備えて構成され、当該左右搬送手段が隣り合う遊技装置の左右搬送手段と互いに連結して全体で紙幣搬送装置を構成することを特徴とする。
【００１５】
前記構成により、複数台の遊技装置が横一列に配設されると、紙幣搬送部の左右搬送手段が隣同士で突き合って連結される。これにより、横一列に複数台配設された各遊技装置を貫く連続した紙幣搬送装置が構成される。そして、サンドからの紙幣は、複数の遊技装置の間を連続的に移動する。
【００１６】
第２の発明に係る遊技装置は、第１の発明に係る遊技装置において、前記紙幣搬送部の左右搬送手段の端部に、当該左右搬送手段と隣接する遊技装置の左右搬送手段とを連結する連結手段を備えたことを特徴とする。
【００１７】
前記構成により、紙幣搬送部の左右搬送手段が隣同士で突き合った状態で、連結手段によって隣同士の左右搬送手段が連結される。これにより、各遊技装置を貫く連続した紙幣搬送装置が構成される。
【００１８】
第３の発明に係る遊技装置は、第１又は第２の発明に係る遊技装置において、前記左右搬送手段又は連結手段が、隣り合う遊技装置の左右搬送手段を角度を持たせた状態で互いに連結して全体で紙幣搬送装置を構成することを特徴とする。
【００１９】
前記構成により、直線状の島装置以外に、Ｌ字型、Ｃ字型、Ｒ字型、ドーナツ型等の種々の形状の島装置を構成することができる。これにより、遊技者のニーズ、デザイン、設置場所の形状等に応じた適宜形状の島装置を構成することができる。
【００２０】
第４の発明に係る遊技装置は、第１乃至第３の発明のいずれかに係る遊技装置において、前記装置本体に、前記メダル等を計数する計数機を備えたことを特徴とする。
【００２１】
前記構成により、遊技の進行に伴って、計数機でメダル等を計数する。装置本体に計数機を具備することにより、メダルを持ち運ぶ必要がなくなり、かつ装置本体からのメダルの出入りを監視することができる。
【００２２】
第５の発明に係る遊技装置は、第１乃至第４の発明のいずれかに係る遊技装置において、前記サンドが、前記紙幣以外に、硬貨又はプリペイドカードの一方又は両方を使用できることを特徴とする。
【００２３】
前記構成により、紙幣をサンドに挿入することで、遊技に使用するコイン等が貸し出されて遊技を行うが、硬貨又はプリペイドカードでも遊技を行うことができる。
【００２４】
第６の発明に係る遊技装置は、第１乃至第５の発明のいずれかに係る遊技装置において、前記遊技機及びサンドが、前記装置本体の前面及び背面の両側に設けられたことを特徴とする。
【００２５】
前記構成により、複数台の遊技装置を横一列に並べるだけで、装置本体の前面及び背面の両側に遊技機を備えた島が構成される。
【００２６】
第７の発明に係る遊技装置は、第６の発明に係る遊技装置において、前記紙幣搬送部が１つだけ設けられ、装置本体の両側に設けられたサンドが１つの紙幣搬送部に接続されたことを特徴とする。
【００２７】
前記構成により、装置本体の両側に設けられたサンドが、１つだけ設けられた紙幣搬送部に接続されていることで、各サンドからの紙幣は１つの紙幣搬送部に送られ、搬送される。これにより、紙幣搬送部を並列に２つ設ける必要がなくなる。
【００２８】
第８の発明に係る島装置は、第１乃至第７の発明のいずれかに係る遊技装置を、複数台並列に接続して構成されたことを特徴とする。
【００２９】
前記構成により、設置場所の大きさや形状等に応じて、任意の台数の遊技装置を並列に接続する。これにより、紙幣搬送装置を備えた島装置を容易に構成することができる。さらに、遊技装置を必要に応じて１台又は複数台付け足したり取り外したりして、容易に島装置の寸法を変更することができる。
【００３０】
第９の発明に係る島装置は、第８の発明に係る島装置において、前記遊技装置を複数台並べて、隣接する前記紙幣搬送部の前記左右搬送手段を前記連結手段で連結して紙幣搬送装置を構成したことを特徴とする。
【００３１】
前記構成により、遊技装置を複数台並べて、左右搬送手段を連結手段で連結することで、遊技装置を複数台並べた長さの紙幣搬送装置を容易に構成することができる。
【００３２】
第１０の発明に係る島装置は、第９の発明に係る島装置において、前記紙幣搬送装置の一端に紙幣収納金庫を設けたことを特徴とする。
【００３３】
前記構成により、各サンドからの紙幣は、紙幣搬送装置によって、その一端に設けられた紙幣収納金庫に運ばれて、保管される。
【００３４】
【発明の実施の形態】
以下、本発明に係る遊技装置及び島装置について、添付図面を参照しながら詳述する。なお本実施形態においては、遊技装置に組み込まれる遊技機として、スロットマシンを例に説明する。
【００３５】
図１は本実施形態に係る遊技装置を示す概略正面図、図２は本実施形態に係る島装置を示す概略平面図、図３は本実施形態に係る連結手段を示す概略平面図である。
【００３６】
本実施形態に係る島装置１１は、図２に示すように、複数の遊技装置１２を横一列に接続して構成されるものである。
【００３７】
遊技装置１２は図１に示すように主に、装置本体１３と、遊技機１４と、サンド１５と、紙幣搬送部１６と、計数機１７とを備えて構成されている。
【００３８】
装置本体１３は、遊技機１４等を組み込むための筐体である。装置本体１３は、縦長の立方体状に形成されている。遊技機１４は、ここではスロットマシンであるため、遊技機１４の前面には、リールや停止ボタン等が設けられている。この遊技機１４は、装置本体１３の前面に組み込まれている。
【００３９】
サンド１５は、遊技のためのメダルを貸し出すための装置である。サンド１５は、遊技機１４に隣接して設けられている。サンド１５は、紙幣を挿入するための紙幣挿入口（図示せず）を有している。サンド１５は、紙幣挿入口から紙幣が挿入されることで、スロットマシンである遊技機１４で遊技するためのメダルを貸し出す。サンド１５内には、紙幣の一時保管部（図示せず）が設けられている。この一時保管部は、後述する紙幣搬送部１６の上下搬送手段２２に接続され、一時保管部に保管された紙幣を左右搬送手段２１へ搬送する。
【００４０】
紙幣搬送部１６は、サンド１５に挿入された紙幣を搬送するための装置である。紙幣搬送部１６は主に、左右搬送手段２１と、上下搬送手段２２と、連結手段２３とから構成されている。
【００４１】
左右搬送手段２１は、紙幣を左右に搬送するための手段である。左右搬送手段２１は、装置本体１３内のサンド１５の上部に位置して左右方向に配設されている。左右搬送手段２１は、紙幣を搬送できる手段であればよく、種々の構成があり得る。例えば、図３に示すように、２つのベルトを接触させ、その間に紙幣を挟んで搬送する構成がある。この場合は、左右搬送手段２１の両端部に、軸芯を垂直に配設したプーリ２１Ａを２個ずつ並列に配設して、各プーリ２１Ａにベルト２１Ｂを掛け渡す。これにより、２つのベルト２１Ｂを互いに逆回転させると、各プーリ２１Ａの間で２つのベルト２１Ｂが接触した状態で回転し、その間に紙幣を挟んで搬送できる。ベルト２１Ｂを２つ設けないで、一方をベルト２１Ｂで、他方を摩擦抵抗の少ない当て板や当て棒等で構成してもよい。この場合は、ベルト２１Ｂと当て板とで紙幣を挟んで搬送する。これ以外でも、紙幣を支持して搬送できる構成であれば、使用することができる。この左右搬送手段２１は、そのプーリ２１Ａが駆動モータ（図示せず）に接続され、制御部（図示せず）によって制御されている。
【００４２】
上下搬送手段２２は、図１に示すように、サンド１５からの紙幣を左右搬送手段２１へ搬送するための手段である。この上下搬送手段２２は、縦方向に配設されて、サンド１５と左右搬送手段２１とを接続している。この上下搬送手段２２は、左右搬送手段２１と同様に、プーリとベルト（図示せず）で構成されている。上下搬送手段２２の下端部はサンド１５内の一時保管部に接続され、この一時保管部に保管された紙幣を受け取って左右搬送手段２１へ送る。
【００４３】
左右搬送手段２１と上下搬送手段２２とは接続部２４で接続されている。この接続部２４は、上下搬送手段２２で上下方向に移動された紙幣を左右搬送手段２１に渡して左右方向の移動に変換させる。
【００４４】
連結手段２３は、左右搬送手段２１の端部に設けられて、その左右搬送手段２１と隣接する遊技装置１２の左右搬送手段２１とを連結するための部材である。連結手段２３は、図３に示すように、紙幣案内片２５を備えて構成されている。この紙幣案内片２５は、一方の左右搬送手段２１から押し出された紙幣を案内して他方の左右搬送手段２１の２つのベルト２１Ｂの間に挿入する。
【００４５】
計数機１７は、遊技機１４の近傍に設けられ、メダルの計数等を行う。この計数機１７を具備することにより、メダルを持ち運ぶ必要がなくなり、かつ装置本体からのメダルの出入りを監視することができる。
【００４６】
紙幣収納金庫１８は、各サンド１５に挿入されて紙幣搬送部１６で搬送された紙幣を、収納して保管するための金庫である。この紙幣収納金庫１８は、島装置１１の端部に設けられ、紙幣搬送部１６の左右搬送手段２１に接続されている。
【００４７】
［動作］
以上のように構成された島装置１１は、次のようにして遊技施設の所定場所に設置される。
【００４８】
まず、設置場所の大きさ及び形状等に応じて島装置１１の大きさ（遊技装置１２の設置個数）が決定される。
【００４９】
遊技装置１２は、島装置１１の大きさに応じた個数を、設置場所において横一列に配設される。これにより、隣り合う遊技装置１２では、紙幣搬送部１６の左右搬送手段２１の端部が隣同士で突き合うことになる。この状態で、連結手段２３が、これら隣同士で突き合った各左右搬送手段２１の端部を連結する。これにより、複数台並列に配設された各遊技装置１２を貫く連続した紙幣搬送装置が構成され、サンド１５からの紙幣は、複数の遊技装置１２の間を連続的に移動される。さらに、遊技装置１２同士もボルト等で互いに連結される。連結された遊技装置１２の端部には、紙幣収納金庫１８が取り付けられる。この紙幣収納金庫１８は、紙幣搬送部１６の左右搬送手段２１の端部に連結され、搬送された紙幣を保管する。
【００５０】
これにより、全長を貫く紙幣搬送装置が設けられた島装置１１が構成される。この島装置１１は、設置場所に応じた個数の遊技装置１２を連結して構成され、それぞれの場所に設置される。設置場所や設計の変更で、島装置１１の寸法が変更される場合は、遊技装置１２を必要に応じて１台又は複数台付け足したり取り外したりする。
【００５１】
このようにして設定された島装置１１においては、各遊技機１４で遊技を行うために、サンド１５に紙幣を挿入する。これにより、コインが貸し出されると共に、紙幣が紙幣収納金庫１８に搬送される。即ち、サンド１５内に挿入された紙幣は、紙幣搬送部１６の上下搬送手段２２によって左右搬送手段２１に送られる。左右搬送手段２１は隣同士で連結されて、１本の紙幣搬送装置として島装置１１の全長に亘って延びているので、紙幣は、各遊技装置１２間を連続的に搬送されて紙幣収納金庫１８に送られ、保管される。
【００５２】
この結果、島装置１１を容易に製作することができると共に、島装置１１の寸法の変更等の設計変更を容易に行うことができる。これにより、島装置１１を容易に設置することができるようになる。
【００５３】
［変形例］
（１）　前記実施形態では、島装置１１を直線的に構成した場合を例に説明したが、一定角度を持たせて島装置を構成してもよい。
【００５４】
例えば、図４に示すように、隣り合う遊技装置１２を４５度の角度を持たせた状態で互いに連結して、島装置１１を構成してもよい。このように、隣り合う遊技装置１２を所定の角度を持たせた状態で互いに連結して、Ｌ字型、Ｃ字型、Ｒ字型、ドーナツ型等の種々の形状の島装置１１を構成してもよい。遊技者のニーズ、デザイン、設置場所の形状等に応じた適宜形状の島装置１１を構成する。
【００５５】
この場合、隣り合う遊技装置１２の左右搬送手段２１の連結部分では、左右搬送手段２１又は連結手段２３が、所定の角度を持たせた状態で互いに連結して全体で紙幣搬送装置を構成する。左右搬送手段２１を所定角度に曲げる場合は、ベルト２１Ｂをアイドルプーリで支持して所定の角度に曲げる。この場合、連結手段２３を設けずに、左右搬送手段２１の先端を互いに突き合わせて、互いに連結するようにしてもよい。
【００５６】
また、連結手段２３を設け、この連結手段２３を所定の角度に曲げて、隣り合う左右搬送手段２１を互いに連結してもよい。
【００５７】
さらに、隣り合う遊技装置１２を所定の角度を設けて連結する場合は、左右搬送手段２１及び連結手段２３が外部に露出するため、その部分にはカバーを設けて覆う。
【００５８】
（２）　前記実施形態では、遊技機１４を装置本体１３の前面だけに組み込んだが、前面と共に背面にも同時に組み込むようにしてもよい。この場合は、装置本体１３を一列に並べることで、遊技機１４を島装置１１の両側に配設することができる。
【００５９】
この場合において、紙幣搬送部１６は、装置本体１３内に１つだけ設けるようにしてもよい。これにより、装置本体１３の両側に設けられたサンド１５が１つの紙幣搬送部１６に接続されて、サンド１５内の紙幣が紙幣収納金庫１８に搬送される。
【００６０】
（３）　サンド１５は、紙幣以外に、硬貨又はプリペイドカードの一方又は両方を使用できるようにしてもよい。これにより、紙幣を使用して遊技を行うことができると共に、硬貨又はプリペイドカードでも遊技を行うことができる。
【００６１】
【発明の効果】
以上、詳述したように本発明によれば、次のような効果を奏する。
【００６２】
（１）　紙幣搬送部が、装置本体内の左右方向に配設されて紙幣を左右に搬送する左右搬送手段を備えて構成され、当該左右搬送手段が隣り合う遊技装置の左右搬送手段と互いに連結して全体で紙幣搬送装置を構成するようにしたので、島装置を容易に製作することができると共に、島装置の寸法の変更等の設計変更を容易に行うことができる。この結果、島装置を容易に設置することができるようになる。
【００６３】
（２）　紙幣搬送部の左右搬送手段の端部に、当該左右搬送手段と隣接する遊技装置の左右搬送手段とを連結する連結手段を備えたので、各遊技装置を貫く連続した紙幣搬送装置を容易に構成することができる。
【００６４】
（３）　左右搬送手段又は連結手段が、隣り合う遊技装置の左右搬送手段を角度を持たせた状態で互いに連結して全体で紙幣搬送装置を構成するので、直線状の島装置以外に、Ｌ字型、Ｃ字型、Ｒ字型、ドーナツ型等の種々の形状の島装置を構成することができる。これにより、遊技者のニーズ、デザイン、設置場所の形状等に応じた適宜形状の島装置を構成することができる。
【００６５】
（４）　装置本体に、メダル等を計数する計数機を備えたので、遊技の進行に伴って、計数機でメダル等を計数することができる。また、装置本体に計数機を具備することにより、メダルを持ち運ぶ必要がなくなり、かつ装置本体からのメダルの出入りを監視することができる。
【００６６】
（５）　サンドが、紙幣以外に、硬貨又はプリペイドカードの一方又は両方を使用できるため、硬貨又はプリペイドカードでも遊技を行うことができる。
【００６７】
（６）　遊技機及びサンドが、装置本体の前面及び背面の両側に設けられたので、複数台の遊技装置を横一列に並べるだけで、装置本体の前面及び背面の両側に遊技機を備えた島を容易に構成することができる。
【００６８】
（７）　紙幣搬送部が１つだけ設けられ、装置本体の両側に設けられたサンドが１つの紙幣搬送部に接続されたので、紙幣搬送部を並列に２つ設ける必要がなくなり、構造を簡素化することができる。
【００６９】
（８）　遊技装置を複数台並列に接続して島装置を構成したので、島装置を容易に構成することができると共に、容易に島装置の寸法を変更することができる。
【００７０】
（９）　遊技装置を複数台並べて、隣接する紙幣搬送部の左右搬送手段を連結手段で連結して紙幣搬送装置を構成したので、遊技装置を複数台並べた長さの紙幣搬送装置を容易に構成することができる。
【００７１】
（１０）　紙幣搬送装置の一端に紙幣収納金庫を設けたので、各サンドからの紙幣を、紙幣搬送装置によって紙幣収納金庫に搬送し、保管することができる。
【図面の簡単な説明】
【図１】本発明に係る遊技装置を示す概略正面図である。
【図２】本発明に係る島装置を示す平面図である。
【図３】本発明に係る連結手段を示す概略平面図である。
【図４】本発明に係る島装置の変形例を示す平面図である。
【図５】従来の島装置を示す斜視図である。
【符号の説明】
１１：島装置、１２：遊技装置、１３：装置本体、１４：遊技機、１５：サンド、１６：紙幣搬送部、１７：計数機、１８：紙幣収納金庫、２１：左右搬送手段、２２：上下搬送手段、２３：連結手段、２４：接続部、２５：連結部。
【図１】
2004016343.tif 000003
【図２】
2004016343.tif 000004
【図３】
2004016343.tif 000005
【図４】
2004016343.tif 000006
【図５】
2004016343.tif 000007